(57)【要約】【課題】  カレンダーに配置した薬の好適な服薬を促進する仕組みを提供する。【解決手段】  服薬者の服薬を管理する服薬管理装置であって、薬を格納するためにカレンダー状に配置された格納部から薬が取り出されたことを検知する。記憶された時刻、または当該時刻よりも所定時間前もしくは所定時間後の時刻を過ぎても、格納部から薬が取り出されたことが検知されなかった場合、警告を出力することを特徴とする服薬管理装置。【選択図】図１
2017045437.tif 000002
【特許請求の範囲】
【請求項１】
服薬者の服薬を管理する服薬管理装置であって、
薬を格納するためにカレンダー状に配置された格納部から前記薬が取り出されたことを検知する検知手段と、
服薬する時刻を記憶する記憶手段と、
前記記憶手段により記憶された時刻、または当該時刻よりも所定時間前もしくは所定時間後の時刻を過ぎても、前記検知手段により前記格納部から前記薬が取り出されたことが検知されなかった場合、警告を出力する警告出力手段とを備えることを特徴とする服薬管理装置。
【請求項２】
前記服薬者が服薬する様子の撮像を指示する撮像指示手段
を更に備えることを特徴とする請求項１に記載の服薬管理装置。
【請求項３】
前記撮像指示手段は、
前記検知手段により前記格納部から前記薬が取り出されたことが検知された場合、撮像を指示すること
を特徴とする請求項２に記載の服薬管理装置。
【請求項４】
前記記憶手段により記憶された時刻、または当該時刻よりも所定時間前もしくは所定時間後の時刻を過ぎても、前記検知手段により前記格納部から前記薬が取り出されたことが検知されなかった場合、前記撮像指示手段により撮像を指示すること
を特徴とする請求項２または３に記載の服薬管理装置。
【請求項５】
前記撮像指示手段により撮像された画像、または前記撮像指示手段により撮像された画像または加工した画像を他の装置に送信する送信手段
を更に備えることを特徴とする請求項２乃至４のいずれか１項に記載の服薬管理装置。
【請求項６】
前記検知手段は、複数の前記格納部のうち、どの格納部から前記薬が取り出されたかを検知し、
前記検知手段により薬が取り出されたと検知された格納部と他の格納部とを識別して表示するための表示部を更に備えることを特徴とする請求項１乃至５のいずれか１項に記載の服薬管理装置。
【請求項７】
前記薬が取り出された格納部に対応する表示部が、前記薬が取り出されたことを示している場合、当該薬が取り出されたことに従って行う処理を行わないこと
を特徴とする請求項６に記載の服薬管理装置。
【請求項８】
前記服薬管理装置は、複数の服薬者の服薬を管理する服薬管理装置であって、
前記格納部は、前記服薬者ごとに分けて薬を格納し、
前記検知手段は、前記格納部から前記複数の服薬者のうち、どの服薬者の薬が取り出されたかを検知し、
前記表示部は、前記複数の服薬者の服薬状況をまとめて表示する、または前記服薬者ごとに服薬状況を表示することを特徴とする請求項６または７に記載の服薬管理装置。
【請求項９】
前記検知手段は、複数の前記格納部のうち、どの格納部から前記薬が取り出されたかを検知し、
前記複数の格納部は、服薬する日、服薬する時間帯のうち少なくとも一方に対応づけられて配置されており、
前記警告出力手段は、
前記検知手段により検知された薬が取り出された格納部に対応する服薬する日、服薬する時間帯のうち少なくとも一方に現在が含まれない場合、警告を出力すること
を特徴とする請求項１乃至８のいずれか１項に記載の服薬管理装置。
【請求項１０】
前記警告出力手段は、
前記記憶手段により記憶された前記服薬する時刻に対応する前記格納部に薬が格納されていない、または前記記憶手段により記憶された前記服薬しない時刻に対応する前記格納部に薬が格納されている、のうち少なくとも一方を満たす場合、警告を出力すること
を特徴とする請求項１乃至９のいずれか１項に記載の服薬管理装置。
【請求項１１】
前記記憶手段により記憶された時刻、または当該時刻よりも所定時間前もしくは所定時間後の時刻までに前記検知手段が前記格納部から前記薬が取り出されたことを検知したこと、前記記憶手段により記憶された時刻、または当該時刻よりも所定時間前もしくは後の時刻を過ぎても前記検知手段が前記格納部から前記薬が取り出されたことを検知しなかったこと、のうち少なくとも一方を他の装置に通知する通知手段
を更に備えることを特徴とする請求項１乃至１０のいずれか１項に記載の服薬管理装置。
【請求項１２】
前記記憶手段により記憶された時刻または当該時刻よりも所定時間前もしくは所定時間後の時刻までに前記検知手段が前記格納部から前記薬が取り出されたことを検知したこと、前記記憶手段により記憶された時刻または当該時刻よりも所定時間前もしくは後の時刻を過ぎても前記検知手段が前記格納部から前記薬が取り出されたことを検知しなかったこと、のうち少なくとも一方を結果として出力する結果出力手段
を更に備えることを特徴とする請求項１乃至１１のいずれか１項に記載の服薬管理装置。
【請求項１３】
前記警告出力手段は、
前記警告の出力が複数回続けて行われる場合、初回の警告とは異なる警告を出力すること
を特徴とする請求項１乃至１２のいずれか１項に記載の服薬管理装置。
【請求項１４】
前記服薬管理装置は、情報処理装置であって、前記検知手段は、
前記格納部から前記薬が取り出されたことを示す信号を受信することにより、前記格納部から前記薬が取り出されたことを検知することを特徴とする請求項１乃至１３のいずれか１項に記載の服薬管理装置。
【請求項１５】
薬を格納するためにカレンダー状に配置された複数の格納部を備える薬配置カレンダーと、服薬者の服薬を管理する服薬管理装置からなる服薬管理システムであって、
前記薬配置カレンダーは、
前記格納部から前記薬が取り出されたことを知らせる信号を前記服薬管理装置に送信する送信手段を備え、
前記服薬管理装置は、
前記送信手段から送信された信号を受信し、前記薬が取り出されたことを検知する検知手段と、
服薬する時刻を記憶する記憶手段と、
前記記憶手段により記憶された時刻、または当該時刻よりも所定時間前もしくは所定時間後の時刻を過ぎても、前記検知手段により前記格納部から前記薬が取り出されたことが検知されなかった場合、警告を出力する警告出力手段とを備えることを特徴とする服薬管理システム。
【請求項１６】
服薬者の服薬を管理する服薬管理装置とサーバからなる服薬管理システムであって、
前記服薬管理装置は、
薬を格納するためにカレンダー状に配置された複数の格納部から前記薬が取り出されたことを検知する検知手段と、服薬する時刻を記憶する装置記憶手段と、
前記装置記憶手段により記憶された時刻、または当該時刻よりも所定時間前もしくは所定時間後の時刻を過ぎても、前記検知手段により前記格納部から前記薬が取り出されたことが検知されなかった場合、警告を出力する警告出力手段と、
前記検知手段により前記格納部から前記薬が取り出されたことをサーバに送信する送信手段と
を備え、前記サーバは、
服薬する時刻を記憶するサーバ記憶手段と、
前記送信手段により送信された前記薬が取り出されたことを受信する受信手段と
前記サーバ記憶手段により記憶された時刻、または当該時刻よりも所定時間前もしくは所定時間後の時刻までに前記受信手段と前記薬が取り出されたことを受信したこと、前記サーバ記憶手段により記憶された時刻、または当該時刻よりも所定時間前もしくは後の時刻を過ぎても前記受信手段と前記薬が取り出されたことを受信しなかったこと、のうち少なくとも一方を他の装置に通知する通知手段
を備えることを特徴とする服薬管理システム。
【請求項１７】
服薬者の服薬を管理する服薬管理装置における処理方法であって、
前記服薬管理装置が、
薬を格納するためにカレンダー状に配置された格納部から前記薬が取り出されたことを検知する検知ステップと、服薬する時刻を記憶する記憶ステップと、
前記記憶ステップにより記憶された時刻、または当該時刻よりも所定時間前もしくは所定時間後の時刻を過ぎても、前記検知ステップにより前記格納部から前記薬が取り出されたことが検知されなかった場合、警告を出力する警告出力ステップを実行することを特徴とする処理方法。
【請求項１８】
薬を格納するためにカレンダー状に配置された複数の格納部を備える薬配置カレンダーと、服薬者の服薬を管理する服薬管理装置からなる服薬管理システムにおける処理方法であって、
前記薬配置カレンダーが、
前記格納部から前記薬が取り出されたことを知らせる信号を前記服薬管理装置に送信する送信ステップを実行し、前記服薬管理装置が、
前記送信ステップから送信された信号を受信し、前記薬が取り出されたことを検知する検知ステップと、
服薬する時刻を記憶する記憶ステップと、
前記記憶ステップにより記憶された時刻、または当該時刻よりも所定時間前もしくは所定時間後の時刻を過ぎても、前記検知ステップにより前記格納部から前記薬が取り出されたことが検知されなかった場合、警告を出力する警告出力ステップと
を実行することを特徴とする処理方法。
【請求項１９】
服薬者の服薬を管理する服薬管理装置とサーバからなる服薬管理システムにおける処理方法であって、
前記服薬管理装置が、
前記薬を格納するためにカレンダー状に配置された複数の格納部と、
前記格納部から前記薬が取り出されたことを検知する検知ステップと、
服薬する時刻を記憶する装置記憶ステップと、
前記装置記憶ステップにより記憶された時刻、または当該時刻よりも所定時間前もしくは所定時間後の時刻を過ぎても、前記検知ステップにより前記格納部から前記薬が取り出されたことが検知されなかった場合、警告を出力する警告出力ステップと、
前記検知ステップにより前記格納部から前記薬が取り出されたことをサーバに送信する送信ステップと
を実行し、前記サーバが、
服薬する時刻を記憶するサーバ記憶ステップと、
前記送信ステップにより送信された前記薬が取り出されたことを受信する受信ステップと
前記サーバ記憶ステップにより記憶された時刻、または当該時刻よりも所定時間前もしくは所定時間後の時刻までに前記受信ステップが前記薬を取り出されたことを受信したこと、前記サーバ記憶ステップにより記憶された時刻、または当該時刻よりも所定時間前もしくは後の時刻を過ぎても前記受信ステップが前記薬を取り出されたことを受信しなかったこと、のうち少なくとも一方を他の装置に通知する通知ステップ
を実行することを特徴とする処理方法。
【請求項２０】
服薬者の服薬を管理する服薬管理装置で実行可能なプログラムであって、
前記服薬管理装置を、
薬を格納するためにカレンダー状に配置された格納部から前記薬が取り出されたことを検知する検知手段と、
服薬する時刻を記憶する記憶手段と、
前記記憶手段により記憶された時刻、または当該時刻よりも所定時間前もしくは所定時間後の時刻を過ぎても、前記検知手段により前記格納部から前記薬が取り出されたことが検知されなかった場合、警告を出力する警告出力手段として機能させることを特徴とするプログラム。
【請求項２１】
薬を格納するためにカレンダー状に配置された複数の格納部を備える薬配置カレンダーと、服薬者の服薬を管理する服薬管理装置からなる服薬管理システムで実行可能なプログラムであって、
前記薬配置カレンダーを、
前記格納部から前記薬が取り出されたことを知らせる信号を前記服薬管理装置に送信する送信手段
として機能させ、前記服薬管理装置を、
前記送信手段から送信された信号を受信し、前記薬が取り出されたことを検知する検知手段と、
服薬する時刻を記憶する記憶手段と、
前記記憶手段により記憶された時刻、または当該時刻よりも所定時間前もしくは所定時間後の時刻を過ぎても、前記検知手段により前記格納部から前記薬が取り出されたことが検知されなかった場合、警告を出力する警告出力手段として機能させることを特徴とするプログラム。
【請求項２２】
服薬者の服薬を管理する服薬管理装置とサーバからなる服薬管理システムで実行可能なプログラムであって、
前記服薬管理装置を、
薬を格納するためにカレンダー状に配置された格納部から前記薬が取り出されたことを検知する検知手段と、
服薬する時刻を記憶する装置記憶手段と、
前記装置記憶手段により記憶された時刻、または当該時刻よりも所定時間前もしくは所定時間後の時刻を過ぎても、前記検知手段により前記格納部から前記薬が取り出されたことが検知されなかった場合、警告を出力する警告出力手段と、
前記検知手段により前記格納部から前記薬が取り出されたことをサーバに送信する送信手段
として機能させ、前記サーバを、服薬する時刻を記憶するサーバ記憶手段と、
前記送信手段により送信された前記薬が取り出されたことを受信する受信手段と
前記サーバ記憶手段により記憶された時刻、または当該時刻よりも所定時間前もしくは所定時間後の時刻までに前記受信手段と前記薬が取り出されたことを受信したこと、前記サーバ記憶手段により記憶された時刻、または当該時刻よりも所定時間前もしくは後の時刻を過ぎても前記受信手段と前記薬が取り出されたことを受信しなかったこと、のうち少なくとも一方を他の装置に通知する通知手段
として機能させることを特徴とするプログラム。
【発明の詳細な説明】
【技術分野】
【０００１】  本発明は、服薬者の服薬を管理する服薬管理装置、服薬管理システム、その処理方法及びプログラムの技術に関する。
【背景技術】
【０００２】  従来、服薬者が定められた時間に定められた量を服薬することを目的にした服薬管理カレンダーが存在する。
特許文献１では、薬を収納できるポケットを配置したカレンダーの仕組みが開示されている。
【先行技術文献】
【特許文献】
【０００３】
【特許文献１】特開２００３−５２７９３号公報
【発明の概要】
【発明が解決しようとする課題】
【０００４】  しかし、服薬者が特許文献１のカレンダーを見ることで服薬を意識することができるが、カレンダーを見なかった場合、服薬を忘れてしまうという問題がある。
よって、本発明の目的は、カレンダー状に配置された薬の好適な服薬を促進する仕組みを提供することを目的とする。
【課題を解決するための手段】
【０００５】  服薬者の服薬を管理する服薬管理装置であって、薬を格納するためにカレンダー状に配置された格納部から前記薬が取り出されたことを検知する検知手段と、服薬する時刻を記憶する記憶手段と、前記記憶手段により記憶された時刻、または当該時刻よりも所定時間前もしくは所定時間後の時刻を過ぎても、前記検知手段により前記格納部から前記薬が取り出されたことが検知されなかった場合、警告を出力する警告出力手段とを備えることを特徴とする服薬管理装置。
【発明の効果】
【０００６】  本発明によれば、カレンダー状に配置された薬の好適な服薬を促進する仕組みを提供することができる。
【図面の簡単な説明】
【０００７】
【図１】  本実施形態の服薬管理システム１００の構成の一例を示す図
【図２】  本実施形態の服薬管理装置１０２のハードウェア構成の一例を示す図
【図３】  本実施形態の服薬管理装置１０２の機能構成の一例を示すブロック図
【図４】  本実施形態の薬配置カレンダー１０１の薬ポケットから薬ケースが取り出されたことの検知方法の一例を示す図
【図５】  本実施形態の服薬管理装置１０２の一例を示す図
【図６】  本実施形態の服薬管理システム１００における服薬管理全体処理の一例を示すフローチャート
【図７】  本実施形態の服薬管理システム１００における初期設定処理の一例を示すフローチャート
【図８】  本実施形態の服薬管理システム１００が出力する初期設定画面の一例を示す図
【図９】  本実施形態の服薬管理装置１０２における薬配置処理の一例を示すフローチャート
【図１０】  本実施形態の服薬管理システム１００における服薬管理処理の一例を示すフローチャート
【図１１】  本実施形態の服薬管理システム１００における各テーブルの一例を示すフローチャート
【図１２】  本実施形態の服薬管理システム１００が出力する服薬結果一覧の一例を示す図
【図１３】  第２の実施形態に係る服薬管理システム１００の構成の一例を示す図
【図１４】  第２の実施形態に係る情報処理装置１０７のハードウェア構成の一例を示す図
【図１５】  第２の実施形態に係る情報処理装置１０７の機能構成の一例を示すブロック図
【図１６】  第２の実施形態に係る服薬管理システム１００における服薬管理処理の一例を示すフローチャート
【図１７】  第２の実施形態に係る服薬管理システム１００における服薬状況画面表示処理の一例を示すフローチャート
【発明を実施するための形態】
【０００８】〔第１の実施形態〕
以下、添付の図面を参照して、本発明の好適な実施形態を説明する。
図１は、本実施形態の服薬管理システム１００の構成の一例を示す図である。
【０００９】  本実施形態の服薬管理システム１００は、薬配置カレンダー１０１、服薬管理装置１０２、携帯電話１０３、ネットワーク１０４、電話交換ユニット１０５、服薬管理サーバ１０６で構成される。
【００１０】  薬配置カレンダー１０１は、服薬者が服用する複数の薬を配置可能なカレンダーであり、服薬者の居住室に配置する。なお、この実施形態においては、薬配置カレンダー１０１は、縦軸を曜日（月曜日〜日曜日）、横軸を時間帯（朝・昼・夕・就寝）の週間カレンダーとしたが、これに限定するものではなく、横軸の時間帯が「朝・昼・夕」の３つ、縦軸の曜日が日付（１〜３１日）の月間カレンダーであっても、日付部分に薬ポケットを備える通常の月間カレンダーであっても、薬を配置可能なその他の形式のカレンダーであってもよい。
【００１１】  なお、この実施形態においては、薬を格納する格納部３０１を薬ポケットとしたが、ポケット状に限定するものではなく、薬を格納することができる格納部３０１であれば、皿やすり鉢などの形状であってもよい。すなわち、薬ポケットは、薬を格納するためにカレンダー状に配置された複数の格納部３０１の一例である。
【００１２】  薬配置カレンダー１０１は、複数の薬ポケットを備える。薬ポケットには、服薬者の家族や介護者が処方箋に従って、薬の入った薬ケースを配置する。薬配置カレンダー１０１は、薬ポケットに配置された薬ケースが取り出されると、薬ケースが取り出されたことを検知し（図４にて後述）、薬ケース取出信号を服薬管理装置１０２に送信する。
【００１３】  服薬管理装置１０２は、薬配置カレンダー１０１が送信する薬ケース取出信号を受信し、薬ケースが取り出された薬ポケットに対応するＬＥＤ５０１（図５）を点灯させる。服薬管理装置１０２は、Ｗｉ−ＦｉやＢｌｕｅｔｏｏｔｈ（登録商標）などの通信機能を介し、携帯電話１０３に薬ケースが取り出されたことを通知する。通知の際は通信中ランプ５０３を点灯させ、通知が終了すると通信中ランプ５０３を消灯させる。
【００１４】  携帯電話１０３は、Ｗｉ−ＦｉやＢｌｕｅｔｏｏｔｈ（登録商標）などの通信機能を備えるスマートフォンなどの携帯電話である。服薬管理装置１０２から薬ケースが取り出されたことの通知を受けた携帯電話１０３は、ネットワーク１０４（電話回線）を介し、服薬管理システム１００の電話交換ユニット１０５に電話発信する。
【００１５】  電話交換ユニット１０５は、携帯電話１０３からの電話発信を受け付ける装置である。電話交換ユニット１０５は、携帯電話１０３からの電話発信を受け、発信元電話番号を識別して、通話せずに電話発信を切断する。電話交換ユニット１０５は、識別した発信元電話番号を服薬管理サーバ１０６に通知する。
【００１６】  服薬管理サーバ１０６は、汎用のコンピュータ装置である。服薬管理サーバ１０６は、服薬管理システム１００に登録された複数の服薬者の服薬を管理する。服薬管理サーバ１０６は、通知された発信元電話番号から薬ケースを取り出した服薬者を特定し、特定した服薬者の家族や介護者に薬が取り出されたことをメールで通知する。
【００１７】  なお、この実施形態においては、薬配置カレンダー１０１と服薬管理装置１０２は、別の装置としたがこれに限定するものではなく、薬配置カレンダー１０１と服薬管理装置１０２とが一体となった装置であってもよい。
【００１８】  なお、この実施形態においては、携帯電話１０３からネットワーク１０４（電話回線）と電話交換ユニット１０５を介して服薬管理サーバ１０６に通知するとしたが、これに限定するものではなく、携帯電話１０３や電話交換ユニット１０５を用いず、服薬管理装置１０２からネットワーク１０４（インターネット）を介して服薬管理サーバ１０６に薬ケースの取り出しを通知するとしてもよい。
【００１９】  なお、この実施形態においては、薬ケースの取り出しの通知を受信した服薬管理サーバ１０６が、服薬者の家族や介護者にメール通知するとしたが、これに限定するものではなく、携帯電話１０３、電話交換ユニット１０５、服薬管理サーバ１０６を用いず、服薬管理装置１０２の通信機能を用いて、服薬者の家族や介護者に直接メール通知するとしてもよい。つまり、服薬管理装置１０２と服薬管理サーバ１０６とが一体となった装置であってもよい。
【００２０】  図２は、本実施形態の服薬管理装置１０２のハードウェア構成の一例を示す図である。
図２において、２０１はＣＰＵで、システムバス２０４に接続される各デバイスやコントローラを統括的に制御する。また、ＲＯＭ２０３あるいは外部メモリ２１４には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２１】  ２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１４からＲＡＭ２０２にロードして、該ロードしたプログラムを実行することで各種動作を実現するものである。
２０５はタイマーコントローラで、タイマー２１２の制御およびタイマー２１２からの時刻入力を制御する。
【００２２】  ２０６は受信コントローラで、取出信号受信部２１３を介して薬配置カレンダー１０１の薬ポケットから薬ケースが取り出されたことの検知信号を受信する。（図４にて後述）
【００２３】  ２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１４へのアクセスを制御する。
【００２４】  ２０８は出力コントローラで、ＬＥＤや液晶ディスプレイ等の出力装置２１５への表示を制御する。なお、出力装置２１５は、ＬＥＤや液晶ディスプレイに限定せず、ＣＲＴディスプレイなどであっても良い。これらは必要に応じて服薬管理装置１０２が使用するものである。本実施形態で使用する出力装置２１５のＬＥＤ５０１については、図５にて後述する。
【００２５】  ２０９は通信Ｉ／Ｆコントローラで、Ｗｉ−ＦｉやＢｌｕｅｔｏｏｔｈ（登録商標）などの通信機能を用い、またはネットワーク１０４を介して外部機器と接続・通信するものであり、ネットワークでの通信制御処理を実行する。例えば、ＴＣＰ／ＩＰを用いた通信等が可能である。
【００２６】  ２１０は撮影コントローラで、撮影処理部２１７を介してカメラ２１９からの入力を制御する。カメラ２１９から入力された撮影画像を認識し、静止画・動画を撮像することができる。また、撮影コントローラ２１０を用いてカメラ２１９を起動させ静止画・動画を撮像することができる。
２１１は音声出力コントローラで、音声出力処理部２１８を介してスピーカー２２０からの音声出力を制御する。
ハードウェア上で動作する各種プログラムは、外部メモリ２１４に記録されており、必要に応じてＲＡＭ２０２にロードされることによりＣＰＵ２０１によって実行されるものである。
なお、全ての装置がこれらの構成を備えているわけではなく、必要なものを夫々備えていればよい。
【００２７】  図３は、本実施形態の服薬管理装置１０２の機能構成の一例を示すブロック図である。
カレンダー状に配置された複数の格納部３０１は、薬を格納する機能部である。
検知部３０２は、格納部３０１から薬が取り出されたことを検知する機能部である。
記憶部３０３は、服薬する時刻を記憶する機能部である。
【００２８】  警告出力部３０４は、記憶部３０３により記憶された時刻、または当該時刻よりも所定時間前もしくは所定時間後の時刻を過ぎても、検知部３０２により格納部３０１から薬が取り出されたことが検知されなかった場合、警告を出力する機能部である。
撮像部３０５は、服薬者が服薬する様子を撮像する機能部である。
撮像部３０５は、検知部３０２により格納部３０１から薬が取り出されたことが検知された場合、撮像する機能部である。
【００２９】  撮像部３０５は、記憶部３０３により記憶された時刻、または当該時刻よりも所定時間前もしくは所定時間後の時刻を過ぎても、検知部３０２により格納部３０１から薬が取り出されたことが検知されなかった場合、撮像する機能部である。
送信部３０６は、撮像部３０５により撮像された画像、または撮像部３０５により撮像された画像または加工した画像を他の装置に送信する機能部である。
検知部３０２は、複数の格納部３０１のうち、どの格納部３０１から薬が取り出されたかを検知する機能部である。
表示部３０７は、検知部３０２により薬が取り出されたと検知された格納部３０１と他の格納部３０１とを識別して表示する機能部である。
薬が取り出された格納部３０１に対応する表示部３０７が、薬が取り出されたことを示している場合、当該薬が取り出されたことに従って行う処理を行わない。
検知部３０２は、複数の格納部３０１のうち、どの格納部３０１から薬が取り出されたかを検知する機能部である。
複数の格納部３０１は、服薬する日、服薬する時間帯のうち少なくとも一方に対応づけられて配置されている。
【００３０】  警告出力部３０４は、検知部３０２により検知された薬が取り出された格納部３０１に対応する服薬する日、服薬する時間帯のうち少なくとも一方に現在が含まれない場合、警告を出力する機能部である。
【００３１】  警告出力部３０４は、記憶部３０３により記憶された服薬する時刻に対応する格納部３０１に薬が格納されていない、または記憶部３０３により記憶された服薬しない時刻に対応する格納部３０１に薬が格納されている、のうち少なくとも一方を満たす場合、警告を出力する機能部である。
【００３２】  通知部３０８は、記憶部３０３により記憶された時刻、または当該時刻よりも所定時間前もしくは所定時間後の時刻までに検知部３０２が格納部３０１から薬が取り出されたことを検知したこと、記憶部３０３により記憶された時刻、または当該時刻よりも所定時間前もしくは後の時刻を過ぎても検知部３０２が格納部３０１から薬が取り出されたことを検知しなかったこと、のうち少なくとも一方を他の装置に通知する機能部である。
【００３３】  結果出力部３０９は、記憶部３０３により記憶された時刻または当該時刻よりも所定時間前もしくは所定時間後の時刻までに検知部３０２が格納部３０１から薬が取り出されたことを検知したこと、記憶部３０３により記憶された時刻または当該時刻よりも所定時間前もしくは後の時刻を過ぎても検知部３０２が格納部３０１から薬が取り出されたことを検知しなかったこと、のうち少なくとも一方を結果として出力する機能部である。
【００３４】  図４は、本実施形態の薬配置カレンダー１０１の薬ポケットから薬ケースが取り出されたことの検知方法の一例を示す図である。
４１１は、薬ポケット４０１に薬を入れた薬ケース４０２を挿入した状態を、薬配置カレンダー１０１の正面から見た図である。４１２は、４１１の状態を薬配置カレンダー１０１の側面から見た図である。４１２のように、薬ポケット４０１の各位置に対応する薬配置カレンダー１０１の裏側にホール素子を取付ける。また、薬ケース４０２には、Ｎ極とＳ極の磁界が発生するようにマグネット２個を離して貼る。４１１・４１２の状態は、４１３のように信号は出力されていない状態である。
【００３５】  ４２１は、薬ケース４０２を上方向に取り出した状態を、薬配置カレンダー１０１の正面から見た図である。４２２は、４２１の状態を薬配置カレンダー１０１の側面から見た図である。薬ケース４０２を上方向に引き抜くことにより、４２２のようにホール素子が磁界に反応し、ＯＮ／ＯＦＦのスイッチング動作によるパルス信号４２３が発生する。このパルス信号４２３を薬ケースの取り出し信号として、服薬管理装置１０２の取出信号受信部２１３が受信する。なお、パルス信号４２３には、各薬ポケット４０１に対応する識別情報を持たせ、パルス信号４２３から識別情報を読み取ることにより、どの薬ポケット４０１に配置された薬ケース４０２が取り出されたかがわかるようにする。
【００３６】  なお、この実施形態においては、薬ケースの取り出し信号は、ホール素子と磁界を用いて検出するとしたが、これに限定するものではなく、物理的なスイッチやフォトリフレクタ（赤外線）などを用いて検出するとしてもよい。
【００３７】  図５は、本実施形態の服薬管理装置１０２の一例を示す図である。
服薬管理装置１０２は、表面にＬＥＤ５０１、リセットボタン５０２、タイマー２１２およびスピーカー２２０を備える。
ＬＥＤ５０１は、服薬管理装置１０２に備えられた出力装置２１５（表示部）である。ＬＥＤ５０１は、薬配置カレンダー１０１のレイアウトと同様に、縦軸を曜日（月曜日〜日曜日）、横軸を時間帯（朝・昼・夕・就寝）とする。
【００３８】  リセットボタン５０２は、（介護者などによる薬ポケット４０１への薬ケース４０２の配置を受け付けた後に）押下を受け付ける１と、ＬＥＤ５０１のすべてを消灯させる。
【００３９】  服薬管理装置１０２は、薬配置カレンダー１０１が送信する薬ケース取出信号を受信し、薬ケース４０２が取り出された薬ポケット４０１に対応するＬＥＤを点灯させる。つまり、服薬者が薬を飲み忘れた場合、薬ケース４０２が薬ポケット４０１から取り出されていないため、その薬ポケット４０１に対応するＬＥＤは消灯したままである。つまり、介護者は、薬配置カレンダー１０１に残っている薬ケース４０２、またはＬＥＤ５０１の消灯箇所を確認することで、服薬者の服用状況を確認することができる。
【００４０】  これにより、医師、薬剤師、製薬者および介護者が、服薬者が定められた時間に定められた量を服薬したか、服薬忘れによる残薬があるかについて把握することが困難であるという問題を解決することができる。
【００４１】  図６は、本実施形態の服薬管理システム１００における服薬管理全体処理の一例を示すフローチャートである。
以下、説明する各ステップは、各装置のＣＰＵが実行するものとする。
ステップＳ６０１において、服薬管理装置１０２は、１人の服薬者の服薬を管理するために必要な服薬者・通知先・服薬時刻などの情報を設定する初期設定処理（図７）を行う。ここで、図７について説明しておく。
【００４２】  図７は、本実施形態の服薬管理システム１００における初期設定処理の一例を示すフローチャートである。
ステップＳ７０１において、服薬管理装置１０２は、初期設定画面の呼出を受け付ける。具体的には、タイマー２１２などの入力装置から初期設定メニュー（不図示）の選択を受け付ける。また、服薬管理装置１０２を起動し、初期設定が行われていなかった場合に、自動的に初期設定画面が呼出されてもよい。
【００４３】  ステップＳ７０２において、服薬管理装置１０２は、初期設定画面（図８）を液晶ディスプレイ等の出力装置２１５に表示する。なお、この実施形態においては、初期設定画面を使用して初期設定を行うとしたが、これに限定するものではなく、初期設定画面を用いず、服薬管理装置１０２の外部メモリ２１４に記憶されている設定ファイルに各情報を登録する方法でもよい。また、服薬時刻情報など一部の情報をタイマー２１２などの入力装置から設定し、服薬者・通知先などのその他の情報はオペレータが服薬管理サーバ１０６に登録するとしてもよい。
【００４４】  ここで、図８について説明しておく。
図８は、本実施形態の服薬管理システム１００が出力する初期設定画面の一例を示す図である。
初期設定画面８００は、服薬者情報８１０・服薬時刻情報８２０の大きく２つの情報を設定する画面である。
服薬者情報８１０として、服薬者ＩＤ８１１、服薬者氏名８１２、発信元電話番号８１３を設定する。
服薬状況をメール通知するための通知先情報として、通知先メールアドレス８１４、服薬した時に通知するチェックボックス８１５、服薬しなかった時に通知するチェックボックス８１６を設定する。
【００４５】  動画撮像の有無について、服薬した時に動画撮影するチェックボックス８１７、服薬しなかった時に動画撮影するチェックボックス８１８を、それぞれの動画撮像時間とともに設定する。
【００４６】  服薬時刻情報８２０として、朝８２１・昼８２２・夕８２３・就寝８２４の各テキストボックスに服薬開始時刻と服薬終了時刻をそれぞれ設定する。以下、この服薬終了時刻を過ぎた場合、「服薬する時刻を過ぎた」と表現する。なお、この実施形態においては、服薬開始時刻と服薬終了時刻を設定するとしたが、これに限定するものではなく、服薬開始時刻（例えば、７：３０）、と服薬時間（例えば、３０分間）を設定するとしてもよい。つまり、服薬すべき時間帯（服薬開始時刻から服薬終了時刻まで）が特定できる設定であればよい。
以上の服薬者情報８１０・服薬時刻情報８２０を設定し、保存ボタン８３０を押下することで初期設定が完了する。
以上で、図８の初期設定画面の説明を終了する。図７の説明に戻る。
ステップＳ７０３において、服薬管理装置１０２は、初期設定画面にて服薬者情報８１０・服薬時刻情報８２０の入力を受け付ける。
【００４７】  ステップＳ７０４において、服薬管理装置１０２は、服薬者情報８１０・服薬時刻情報８２０を外部メモリ２１４に記憶する。すなわち、ステップＳ７０４は、服薬する時刻を記憶する処理の一例を示すステップである。具体的には、服薬者情報８１０を服薬者テーブル１１１０（図１１）に、服薬時刻情報８２０を服薬時刻テーブル１１２０（図１１）に記憶する。
ステップＳ７０５において、服薬管理装置１０２は、服薬者情報８１０・服薬時刻情報８２０を服薬管理サーバ１０６に送信する。
ステップＳ７０６において、服薬管理サーバ１０６は、服薬者情報８１０・服薬時刻情報８２０を受信する。
【００４８】  ステップＳ７０７において、服薬管理サーバ１０６は、服薬者・通知先・服薬時刻の情報を外部メモリ２１４に記憶する。具体的な記憶方法については、ステップＳ７０４にて服薬管理装置１０２が外部メモリ２１４に記憶する服薬者テーブル１１１０・服薬時刻テーブル１１２０と同様である。
【００４９】  なお、この実施形態においては、服薬者テーブル１１１０・服薬時刻テーブル１１２０とも、服薬管理装置１０２と服薬管理サーバ１０６のそれぞれの外部メモリ２１４に記憶するとしたが、これに限定するものではなく、服薬管理装置１０２と服薬管理サーバ１０６がそれぞれ必要な情報だけに絞って記憶するとしてもよい。なお、服薬管理サーバ１０６を用いない場合は、ステップＳ７０５〜ステップＳ７０７の処理は不要である。
以上で、図７の初期設定処理の説明を終了する。図６の説明に戻る。
【００５０】  ステップＳ６０２において、服薬管理装置１０２は、薬配置カレンダー１０１の薬ポケット４０１に薬ケース４０２を配置するための薬配置処理（図９）を行う。ここで、図９について説明しておく。
【００５１】  図９は、本実施形態の服薬管理装置１０２における薬配置処理の一例を示すフローチャートである。
ステップＳ９０１において、服薬管理装置１０２は、介護者などによる薬ポケット４０１への薬ケース４０２の配置を受け付ける。この際、前述したパルス信号４２３が発生するが、後述するステップＳ１００５にあるように、薬ケース４０２が取り出された薬ポケット４０１から再びパルス信号４２３が検出されても服薬管理装置１０２は処理を行わない。
ステップＳ９０２において、服薬管理装置１０２は、服薬管理装置１０２のパネルに配置されたリセットボタン５０２（図５）の押下を受け付ける。
ステップＳ９０３において、服薬管理装置１０２は、ＬＥＤ５０１のすべてを消灯する。
【００５２】  ステップＳ９０４において、服薬管理装置１０２は、服薬時刻テーブル１１２０の設定と、各薬ポケット４０１に配置された薬ケース４０２とを比較し、誤りがあると判定した場合はステップＳ９０５に進み、誤りがない（正しい）と判定した場合は図９の薬配置処理を終了する。
【００５３】  具体的には、薬ポケット４０１に配置された物理的なスイッチやフォトリフレクタ（赤外線）を用いて、薬ケース４０２が配置されている薬ポケット４０１を特定する。服薬時刻テーブル１１２０の開始時刻・終了時刻カラムに時刻が設定されている時間帯（図１１の場合、朝・昼・夕）に対応するすべての薬ポケット４０１に薬ケース４０２が配置されている、かつ服薬時刻テーブル１１２０の開始時刻・終了時刻カラムに時刻が設定されていない時間帯（図１１の場合、就寝）に対応するすべての薬ポケット４０１に薬ケース４０２が配置されていない場合は、正しい薬配置であると判定する。そうでない場合は、誤りがあると判定する。
【００５４】  ステップＳ９０５において、服薬管理装置１０２は、ステップＳ９０４にて薬配置に誤りがあることを特定した薬ポケット４０１に対応するＬＥＤを点滅させる。なお、この実施形態においては、ＬＥＤを点滅させるとしたが、これに限定するものではなく、薬を配置した人が薬配置の誤りを識別できる方法であれば他の方法（例えば、ＬＥＤを点灯させる、ブザーを鳴らす等）であってもよい。
【００５５】  ステップＳ９０６において、服薬管理装置１０２は、薬配置の誤りを知らせる警告メッセージを出力する。すなわち、ステップＳ９０６は、記憶された服薬する時刻に対応する格納部３０１に薬が格納されていない、または記憶された服薬しない時刻に対応する格納部３０１に薬が格納されている、のうち少なくとも一方を満たす場合、警告を出力する処理の一例を示すステップである。
【００５６】  具体的には、「薬の配置に誤りがあります」などのメッセージをスピーカー２２０から音声出力する。なお、この実施形態においては、警告メッセージを音声出力するとしたが、これに限定するものではなく、薬を配置した人が薬配置の誤りを認識できる方法であれば他の方法（例えば、警告メッセージを液晶ディスプレイ等の出力装置２１５に表示する、ブザーを鳴らす等）であってもよい。
【００５７】  これにより、介護者などが薬をカレンダーに配置した際、誤ったポケットに配置した場合（例えば、薬を朝・昼・夕のポケットに配置すべきところを朝・昼・夕のポケットのうち配置されていないポケットがあった、または就寝のポケットにも配置してしまった等）、配置の誤りを知ることができないという問題を解決することができる。
以上で、図９の薬配置処理の説明を終了する。図６の説明に戻る。
ステップＳ６０３において、服薬管理装置１０２は、服薬管理処理（図１０）を行う。ここで、図１０について説明しておく。
【００５８】  図１０は、本実施形態の服薬管理システム１００における服薬管理処理の一例を示すフローチャートである。
ステップＳ１００１において、服薬管理装置１０２は、現在時刻＝服薬開始時刻か否かを判定する。現在時刻≠服薬開始時刻の場合はステップＳ１００１に戻る。現在時刻＝服薬開始時刻の場合はステップＳ１００２に進む。
【００５９】  ステップＳ１００２において、服薬管理装置１０２は、服薬メッセージを出力する。具体的には、「お薬の時間です。」「お薬を飲みましょう。」などのメッセージをスピーカー２２０から音声出力する。なお、この実施形態においては、メッセージを音声出力するとしたが、これに限定するものではなく、服薬者が服薬時刻になったことを認識できる方法であれば他の方法（例えば、メッセージを液晶ディスプレイ等の出力装置２１５に表示する、ブザーを鳴らす等）であってもよい。
【００６０】  ステップＳ１００３において、服薬管理装置１０２は、取出信号受信部２１３が薬ポケット４０１から薬ケース４０２が取り出されたことを検知したか否かを判定する。検知した場合はステップＳ１００５に進む。検知しなかった場合はステップＳ１００４に進む。すなわち、ステップＳ１００３は、格納部３０１から薬が取り出されたことを検知する処理の一例を示すステップである。また、ステップＳ１００３は、薬を格納するためにカレンダー状に配置された格納部３０１から薬が取り出されたことを検知する処理の一例を示すステップである。また、ステップＳ１００３は、格納部から薬が取り出されたことを示す信号を受信することにより、格納部から薬が取り出されたことを検知する処理の一例を示すステップである。
【００６１】  ステップＳ１００４において、服薬管理装置１０２は、現在時刻と服薬終了時刻を比較する。現在時刻＝服薬終了時刻―所定時間（例えば、服薬終了時刻＝８：００、所定時間＝５分間とすると、現在時刻＝７：５５）の場合はステップＳ１０１０に進む。現在時刻≦服薬終了時刻（例えば、服薬終了時刻＝８：００とすると、現在時刻≦８：００）の場合はステップＳ１００３に戻る。現在時刻＞服薬終了時刻（例えば、服薬終了時刻＝８：００とすると、現在時刻＞８：００）の場合はステップＳ１０１２に進む。
【００６２】  ステップＳ１００５において、服薬管理装置１０２は、服薬確認メッセージを出力する。すなわち、ステップＳ１００５は、記憶された時刻、または当該時刻よりも所定時間前もしくは所定時間後の時刻を過ぎても、格納部３０１から薬が取り出されたことが検知されなかった場合、警告を出力する処理の一例を示すステップである。
【００６３】  具体的には、「お薬を飲み忘れていませんか？」などのメッセージをスピーカー２２０から音声出力する。なお、この実施形態においては、メッセージを音声出力するとしたが、これに限定するものではなく、服薬者が服薬終了時刻になったことを認識できる方法であれば他の方法（例えば、メッセージを液晶ディスプレイ等の出力装置２１５に表示する、ブザーを鳴らす等）であってもよい。
【００６４】  なお、この実施形態においては、「現在時刻＝服薬終了時刻―所定時間」の場合に服薬確認メッセージを出力するとしたが、これに限定するものではなく、「現在時刻＝服薬終了時刻」の場合、「現在時刻＝服薬終了時刻＋所定時間」の場合であってもよい。つまり、服薬終了時刻が間近であること、服薬終了時刻であること、服薬終了時刻を過ぎていることを服薬者に服薬を忘れていることを通知するものであればよい。
これにより、服薬者がカレンダーを見なかった場合に、服薬を忘れてしまうという問題を解決することができる。
【００６５】  ステップＳ１００６において、服薬管理装置１０２は、薬ケース４０２が取り出された薬ポケット４０１を特定する。すなわち、ステップＳ１００６は、複数の格納部３０１のうち、どの格納部３０１から薬が取り出されたかを検知する処理の一例を示すステップである。具体的には、パルス信号４２３に各薬ポケット４０１に対応する識別情報を持たせ、パルス信号４２３から識別情報を読み取ることにより、どの薬ポケット４０１に配置された薬ケース４０２が取り出されたかがわかるようにする。
【００６６】  ステップＳ１００７において、服薬管理装置１０２は、現在の曜日・時刻とステップＳ１００５にて特定された薬ポケット４０１のＩＤとを照合し、誤りの場合はステップＳ１００８に進み、正しい場合はステップＳ１００９に進む。具体的には、現在が月曜の１２：３８の場合に、「月曜日・夕」の薬ポケット４０１から薬が取り出された場合、服薬者が時間帯を間違って薬を取り出しているため、「誤り」と判定する。また、現在が月曜の１２：３８の場合に、「火曜日・昼」の薬ポケット４０１から薬が取り出された場合、服薬者が曜日を間違って薬を取り出しているため、「誤り」と判定する。
【００６７】  なお、この実施形態においては、時間帯または曜日を間違った薬ポケットから薬を取り出すことを「誤り」と判定するとしたが、これに限定するものではなく、薬配置カレンダー１０１が日付（１〜３１日）の月間カレンダーであった場合、時間帯または日付を間違った薬ポケットから薬を取り出すことを「誤り」と判定する。つまり、薬を取り出された薬ポケットに対応づけられた時間帯と現在時刻が異なる場合に「誤り」と判定する。
【００６８】  ステップＳ１００８において、服薬管理装置１０２は、薬の取り出しの誤りを知らせる警告メッセージを出力する。すなわち、ステップＳ１００８は、検知された薬が取り出された格納部３０１に対応する服薬する日、服薬する時間帯のうち少なくとも一方に現在が含まれない場合、警告を出力する処理の一例を示すステップである。具体的には、「薬を誤ったポケットから取り出しました。ご確認ください。」等のメッセージをスピーカー２２０から音声出力する。その際、現在取り出した薬ポケットに対応するＬＥＤ５０１を点滅させ、誤って取り出した薬ポケットの場所を服薬者が認識できるようにする。
【００６９】  なお、この実施形態においては、警告メッセージを音声出力するとしたが、これに限定するものではなく、服薬者が薬取り出しの誤りを認識できる方法であれば他の方法（例えば、警告メッセージを液晶ディスプレイ等の出力装置２１５に表示する、ブザーを鳴らす等）であってもよい。
【００７０】  ステップＳ１００９において、服薬管理装置１０２は、ステップＳ１００５にて特定した薬ポケット４０１に対応するＬＥＤが点灯しているか消灯しているかを判定する。ＬＥＤが点灯している場合は、この薬ポケット４０１から薬ケース４０２が既に取り出されたことがあると捉え、その後の処理（例えば、撮像処理、メール送信処理等）を行わず、図１０の服薬管理処理を終了する。ＬＥＤが消灯している場合は、ステップＳ１０１０に進む。すなわち、ステップＳ１００９は、薬が取り出された格納部３０１に対応する表示部が、薬が取り出されたことを示している場合、薬が取り出されたことに従って行う処理を行わないことの一例を示すステップである。
【００７１】  なお、この実施形態においては、薬を取り出した薬ポケット４０１が既に取り出されたことがあるか否かを、薬を取り出した薬ポケット４０１に対応するＬＥＤの点灯・消灯によって判定するとしたが、これに限定するものではなく、薬ポケット４０１からの薬の取り出しの有無の記録をＲＡＭ２０２で管理しＲＡＭ２０２を参照して判定する、受信したパルス信号４２３に含まれる各薬ポケット４０１に対応する識別情報を外部メモリ２１４に履歴管理し外部メモリ２１４を参照して判定する、等の方法であってもよい。
【００７２】  ステップＳ１０１０において、服薬管理装置１０２は、ステップＳ１００６にて特定した薬ポケット４０１に対応するＬＥＤを点灯させる。すなわち、ＬＥＤ５０１は、薬が取り出されたと検知された格納部３０１と他の格納部３０１とを識別して表示するための表示部の一例である。
【００７３】  具体的には、ステップＳ１００６にて薬ケース４０２が取り出された薬ポケット４０１が「月曜・昼」のポケットであると特定できた場合、ＬＥＤ５０１のうち「月曜・昼」に対応するＬＥＤを点灯させる。これにより、服薬者が服薬した時にその場に居なかった介護者が、服薬者が定められた時間に定められた量を服薬したか、服薬忘れによる残薬があるかについて把握することができる。
【００７４】  なお、この実施形態においては、薬ポケット４０１に対応するＬＥＤ５０１を点灯させるとしたが、これに限定するものではなく、通常は点灯しているＬＥＤ５０１を消灯する、薬ポケット４０１に対応する表を液晶ディスプレイ等に表示し、その表の取り出された薬ポケット４０１に対応する欄とその他の欄とを識別して表示する等の方法であってもよい。
【００７５】  ステップＳ１０１１において、服薬管理装置１０２は、外部メモリ２１４に記憶されている服薬者テーブル１１１０の「服薬有撮像フラグ」の値を判定する。Ｙｅｓの場合はステップＳ１０１３に進む。Ｎｏの場合はステップＳ１０１５に進む。
【００７６】  ステップＳ１０１２において、服薬管理装置１０２は、外部メモリ２１４に記憶されている服薬者テーブル１１１０の「服薬無撮像フラグ」の値を判定する。Ｙｅｓの場合はステップＳ１０１４に進む。Ｎｏの場合はステップＳ１０１５に進む。
【００７７】  ステップＳ１０１３において、服薬管理装置１０２は、カメラ２１９を用いて服薬者が服薬する様子を撮像する。すなわち、ステップＳ１０１３は、服薬者が服薬する様子を撮像する処理の一例を示すステップである。すなわち、ステップＳ１０１３は、格納部３０１から薬が取り出されたことが検知された場合、撮像する処理の一例を示すステップである。
【００７８】  具体的には、外部メモリ２１４に記憶されている服薬者テーブル１１１０の「服薬有撮像時間」だけ撮像する。なお、この撮像は人体センサ等を用いて、服薬者が服薬する様子を確実に撮像できるようにしてもよい。なお、服薬者のプライバシーを守るため、レンズにフィルタを付ける、撮像時の画像を加工する等により、服薬者が服薬する様子がわかる程度に撮像するとしてもよい。なお、この実施形態においては、カメラを用いて動画撮像するとしたが、これに限定するものではなく、静止画撮像であってもよい。
【００７９】  これにより、本発明においては服薬する様子が短時間の動画または少数の静止画に記録されているため、一般的な安否確認システムにおいて撮像された長時間の動画または多数の静止画の中から要介護者が服薬したか否かを確認することが困難または非効率的であるという問題を解決することができる。
【００８０】  ステップＳ１０１４において、服薬管理装置１０２は、カメラ２１９を用いて室内の様子を撮像する。すなわち、ステップＳ１０１４は、記憶された時刻、または当該時刻よりも所定時間前もしくは所定時間後の時刻を過ぎても、格納部３０１から薬が取り出されたことが検知されなかった場合、撮像する処理の一例を示すステップである。
【００８１】  具体的には、外部メモリ２１４に記憶されている服薬者テーブル１１１０の「服薬無撮像時間」だけ撮像する。なお、この撮像は広角撮影機能やパノラマ撮影機能等を用いて、室内全体の様子がはっきりと撮像できるようにしてもよい。なお、服薬者のプライバシーを守るため、レンズにフィルタを付ける、撮像時の画像を加工する等により、室内全体の様子がわかる程度に撮像するとしてもよい。なお、この実施形態においては、カメラを用いて動画撮像するとしたが、これに限定するものではなく、静止画撮像であってもよい。
【００８２】  なお、この実施形態においては、「現在時刻＞服薬終了時刻」の場合に室内の様子を撮像するとしたが、これに限定するものではなく、「現在時刻＞服薬終了時刻―所定時間」の場合、「現在時刻＝服薬終了時刻」の場合、「現在時刻＞服薬終了時刻＋所定時間」の場合であってもよい。つまり、服薬終了時刻の所定時間前、服薬終了時刻、または服薬終了時刻から所定時間経過をトリガーにして、室内の様子を撮像するとしてもよい。
【００８３】  なお、この実施形態においては、ステップＳ１００３にて薬ポケット４０１から薬ケース４０２が取り出されたことを検知した場合に服薬者が服薬する様子を撮像する（ステップＳ１０１３）、ステップＳ１００３にて薬ポケット４０１から薬ケース４０２が取り出されたことを検知しなかった場合に室内の様子を撮像する（ステップＳ１０１４）としたが、これに限定するものではなく、例えばカメラ２１９で室内の様子を常時撮像し続けておき、ステップＳ１０１３またはステップＳ１０１４にて撮像画像を抜き出して外部メモリ２１４に記憶する方法であってもよい。
【００８４】  ステップＳ１０１５において、服薬管理装置１０２は、服薬有無信号（ステップＳ１０１１を経由した場合は「服薬有」、ステップＳ１０１２を経由した場合は「服薬無」）と、ステップＳ１０１３またはステップＳ１０１４にて撮像した撮像画像とを服薬管理サーバ１０６に送信する。すなわち、ステップＳ１０１５は、撮像された画像、または撮像された画像または加工した画像を他の装置に送信する処理の一例を示すステップである。
【００８５】  なお、ステップＳ１０１２を経由した場合の服薬有無信号＝「服薬無」は、服薬無が連続して発生した場合に「服薬無（２回連続）」「服薬無（３回連続）」のように、「服薬有」の後に発生した「服薬無」と服薬有無信号を変えるとしてもよい。すなわち、ステップＳ１０１５は、警告の出力が複数回続けて行われる場合、初回の警告とは異なる警告を出力する処理の一例を示すステップである。これにより、服薬無が連続して発生した場合に、服薬者の家族や介護者に送信される「服薬無メール」をより重要な内容に変える等によって、服薬者の家族や介護者に対して、単なる飲み忘れではなく、服薬者が意識を失ってしまったなど、何か大きな問題が発生している可能性があることを知らせることができる。
【００８６】  なお、この実施形態においては、送信する撮像画像は動画ファイルとしたが、これに限定するものではなく、静止画ファイルやそれらの画像を加工した画像であってもよい。また、この実施形態においては、撮像画像を服薬管理サーバ１０６に送信するとしたが、これに限定するものではなく、例えば、服薬管理装置１０２が服薬者の家族や介護者の携帯電話にメール等で直接送信するとしてもよい。
ステップＳ１０１６において、服薬管理サーバ１０６は、服薬有無信号と撮像画像とを受信する。
【００８７】  ステップＳ１０１７において、服薬管理サーバ１０６は、受信した服薬有無信号と撮像画像とを記憶する。具体的には、外部メモリ２１４の服薬結果テーブル１１３０に、「服薬者ＩＤ」「日付」「時間帯」「服薬時刻」「撮像画像」を記憶する。なお、服薬有無信号＝「服薬有」の場合は、「服薬時刻」には取出信号受信部２１３が薬ポケット４０１から薬ケース４０２が取り出された時刻を記憶する。また、服薬有無信号＝「服薬無」の場合は、「服薬時刻」には“ＮＵＬＬ”を記憶する。
【００８８】  ステップＳ１０１８において、服薬管理サーバ１０６は、受信した服薬有無信号の「服薬有」「服薬無」を判定する。「服薬有」の場合はステップＳ１０１９に進む。「服薬無」の場合はステップＳ１０２０に進む。
【００８９】  ステップＳ１０１９において、服薬管理サーバ１０６は、外部メモリ２１４に記憶されている服薬者テーブル１１１０の「服薬有メール」の値を判定する。Ｙｅｓの場合はステップＳ１０２１に進む。Ｎｏの場合は図１０の服薬管理処理を終了する。
【００９０】  ステップＳ１０２０において、服薬管理サーバ１０６は、外部メモリ２１４に記憶されている服薬者テーブル１１１０の「服薬無メール」の値を判定する。Ｙｅｓの場合はステップＳ１０２２に進む。Ｎｏの場合は図１０の服薬管理処理を終了する。
【００９１】  ステップＳ１０２１において、服薬管理サーバ１０６は、外部メモリ２１４に記憶されている服薬者テーブル１１１０の「通知先メールアドレス」に服薬有メールを送信する。具体的には、服薬有メールは「２０１５年７月１日  ７時３１分  服薬太郎さんが服薬しました。」のような内容で、家族や介護者に対して、服薬者が服薬したことを通知するメールである。また、そのメールには、服薬する様子の撮像画像（例えば、２０１５０７０１＿０１．ｍｐｅｇ）へのリンクを記し、家族や介護者がリンクを押下することで服薬者の服薬する様子を確認できるとしてもよい。
【００９２】  なお、この実施形態においては、「通知先メールアドレス」に服薬有メールを送信するとしたが、これに限定するものではなく、「通知先電話番号」に発信して服薬有を示す音声を流す、家族や介護者が閲覧可能なＳＮＳなどのＷｅｂページに服薬有を示す書き込みをする等、家族や介護者が、服薬者が服薬したことを識別できる方法であれば他の方法でもよい。
【００９３】  これにより、家族や介護者は、服薬者が服薬している様子を確認することができるようになり、服薬している様子を実際に見ることができないことによる正確な服薬状況を知ることができないという問題を解決することができる。
【００９４】  ステップＳ１０２２において、服薬管理サーバ１０６は、外部メモリ２１４に記憶されている服薬者テーブル１１１０の「通知先メールアドレス」に服薬無メールを送信する。具体的には、服薬無メールは「２０１５年７月２日  １８時００分  服薬太郎さんが服薬時刻を過ぎても服薬しませんでした。」のような内容で、家族や介護者に対して、服薬者が服薬しなかったことを通知するメールである。また、そのメールには、室内の撮像画像へのリンクを記し、家族や介護者がリンクを押下することで服薬者の安否を確認できるとしてもよい。
【００９５】  なお、この実施形態においては、「通知先メールアドレス」に服薬無メールを送信するとしたが、これに限定するものではなく、「通知先電話番号」に発信して服薬無を示す音声を流す、家族や介護者が閲覧可能なＳＮＳなどのＷｅｂページに服薬無を示す書き込みをする等、家族や介護者が、服薬者が服薬しなかったことを識別できる方法であれば他の方法でもよい。
【００９６】  すなわち、ステップＳ１０２１およびステップＳ１０２２は、記憶された時刻、または当該時刻よりも所定時間前もしくは所定時間後の時刻までに格納部３０１から薬が取り出されたことを検知したこと、記憶された時刻、または当該時刻よりも所定時間前もしくは後の時刻を過ぎても格納部３０１から薬が取り出されたことを検知しなかったこと、のうち少なくとも一方を他の装置に通知する処理の一例を示すステップである。
【００９７】  これにより、家族や介護者が、服薬を忘れたことをタイムリーに知ることができないため、結果的に好適な服薬ができず、病気の治癒が遅れてしまうという問題を解決することができる。また、服薬者が倒れてしまった場合、家族や介護者が気づくことが困難であるという問題についても解決することができる。
以上で、図１０の服薬管理処理の説明を終了する。図６の説明に戻る。
【００９８】  ステップＳ６０４において、服薬管理サーバ１０６は、服薬結果一覧出力処理を行う。すなわち、ステップＳ６０４は、記憶された時刻または当該時刻よりも所定時間前もしくは所定時間後の時刻までに格納部３０１から薬が取り出されたことを検知したこと、記憶された時刻または当該時刻よりも所定時間前もしくは後の時刻を過ぎても格納部３０１から薬が取り出されたことを検知しなかったこと、のうち少なくとも一方を結果として出力する処理の一例を示すステップである。
【００９９】  具体的には、服薬管理サーバ１０６は、服薬者の服薬状況を管理する医師、薬剤師、製薬者および介護者からの指示を受け、服薬管理処理（図１０）のステップＳ１０１７にて記憶した服薬結果テーブル１１３０から、服薬結果一覧を出力したい「服薬者ＩＤ」「日付（年月）」をキーに検索し、「時間帯」「服薬時刻」を取得し、服薬結果一覧１２００（図１２）をＣＲＴディスプレイ等に出力する。ここで、図１２について説明しておく。
図１２は、本実施形態の服薬管理システム１００が出力する服薬結果一覧の一例を示す図である。
服薬結果一覧１２００は、服薬者情報１２１０・服薬状況１２２０の大きく２つの情報を出力する画面または帳票である。
服薬者情報１２１０として、「服薬者ＩＤ１２１１」と「服薬者氏名１２１２」を出力する。
【０１００】  服薬状況１２２０として、「年月１２２１」「時間帯１２２２」「服薬時刻１２２３」「服薬平均時刻１２２４」「服薬率１２２５」「残薬数１２２６」を出力する。なお、この実施形態においては、服薬状況１２２０の出力内容は、これに限定するものではなく、これらの項目の一部のみを出力したり、その他の項目を出力したりしてもよい。
【０１０１】  印刷ボタン１２３０の押下を受け付けると、服薬結果一覧１２００をプリンタから出力する。閉じるボタン１２３１の押下を受け付けると、服薬結果一覧１２００を閉じる。
【０１０２】  なお、この実施形態においては、服薬結果一覧１２００をＣＲＴディスプレイやプリンタを用いて出力するとしたが、これらに限定するものではなく、テキストファイルやＣＳＶファイル等のファイルとして出力するとしてもよい。
【０１０３】  これにより、医師、薬剤師、製薬者および介護者は、服薬者が定められた時間に定められた量を服薬したか、服薬忘れによる残薬があるかについて把握することが困難であるという問題を解決することができる。
以上で、図１２の服薬結果一覧の説明を終了する。
以上で、図６の服薬管理全体処理の説明を終了する。
以上により、服薬者に好適な服薬を促すことができる。
【０１０４】〔第２の実施形態〕
第１の実施形態では、服薬管理装置１０２と携帯電話１０３とが異なる筐体であるとして説明した。第２の実施形態では、服薬管理装置１０２と携帯電話１０３とが同一の筐体に組み込まれた装置、例えば、スマートフォンやタブレットなどの情報処理装置１０７であるとして説明する。つまり、第２の実施形態は、第１の実施形態における複数の機器（服薬管理装置１０２と携帯電話１０３）を、ひとつの機器（情報処理装置１０７）に適用したものである。
【０１０５】  なお、第２の実施形態は、情報処理装置１０７がスマートフォンやタブレットなどであるため、情報処理装置１０７が服薬者の傍にあるケース、情報処理装置１０７が服薬者の家族や介護者の傍にあるケースの２通りが考えられる。
【０１０６】  図１３は、第２の実施形態に係る服薬管理システム１００の構成の一例を示す図であり、第１の実施形態の図１における服薬管理装置１０２と携帯電話１０３とを情報処理装置１０７に置き換えたものである。
図１３について説明する。ただし、図１と同じ箇所については説明を省略する。
【０１０７】  第２の実施形態の服薬管理システム１００は、薬配置カレンダー１０１、情報処理装置１０７、ネットワーク１０４、電話交換ユニット１０５、服薬管理サーバ１０６で構成される。
【０１０８】  情報処理装置１０７は、携帯電話、スマートフォン、タブレット、ノートＰＣ、ＰＤＡ、およびデスクトップＰＣなどの端末であって、服薬管理アプリケーションまたはブラウザがインストールされており、ＬＡＮやＷＡＮなどのネットワーク１０４を介して服薬管理サーバ１０６と通信可能である。
【０１０９】  情報処理装置１０７は、Ｗｉ−Ｆｉ、Ｂｌｕｅｔｏｏｔｈ（登録商標）、超音波などの通信機能、またはＬＡＮやＷＡＮなどのネットワーク１０４を介して、薬配置カレンダー１０１が送信する薬ケース取出信号を受信し、出力装置２１５（例えば、液晶ディスプレイ）に服薬状況画面１３０１（図１３）を表示する。服薬状況画面１３０１には、服薬者名１３０２、家族や介護者を呼び出す呼出ボタン１３０３、服薬状況をリセットするリセットボタン１３０４、薬配置カレンダー１０１の薬ポケット４０１に対応する「●（薬未取出）」「○（薬取出済）」の服薬アイコン１３０５が表示されており、薬ケース４０２が取り出された場合、薬ポケット４０１に対応する服薬アイコン１３０５の表示を「●（薬未取出）」から「○（薬取出済）」へ変更する。
【０１１０】  これにより、服薬すべき時間帯を過ぎたにも関わらず、「●（薬未取出）」の状態となっている服薬アイコン１３０５は「飲み忘れ」であることが、薬配置カレンダー１０１を見なくてもわかるようになる。これにより、情報処理装置１０７が薬配置カレンダー１０１から遠く離れた距離にある場合であっても、例えば、介護者が服薬者から遠く離れた場所に居る場合であっても、介護者は情報処理装置１０７の服薬状況画面１３０１を確認することで、服薬者の服用状況を確認することができる。つまり、家族や介護者が、服薬を忘れたことをタイムリーに知ることができないため、結果的に好適な服薬ができず、病気の治癒が遅れてしまうという問題を解決することができる。
以上で、図１３の説明を終了する。
【０１１１】  図１４は、第２の実施形態に係る情報処理装置１０７のハードウェア構成の一例を示す図であり、第１の実施形態の図２における服薬管理装置１０２と携帯電話１０３のハードウェア構成を情報処理装置１０７のハードウェア構成に置き換えたものである。
図１４について説明する。ただし、図２と同じ箇所については説明を省略する。
【０１１２】  ２２１は音声入力コントローラで、音声入力処理部２２２を介してマイク２２３からの音声入力を制御する。これにより、マイク２２３から入力された音声を外部メモリ２１４に記録し、その音声を薬配置の誤りや薬の取り出しの誤りを知らせる警告メッセージとして利用することができる。
以上で、図１４の説明を終了する。
【０１１３】  図１５は、第２の実施形態に係る情報処理装置１０７の機能構成の一例を示すブロック図であり、第１の実施形態の図３における服薬管理装置１０２の機能構成を情報処理装置１０７の機能構成に置き換えたものである。
図１５について説明する。ただし、図３と同じ箇所については説明を省略する。
検知部３０２は、薬を格納するためにカレンダー状に配置された格納部から薬が取り出されたことを検知する機能部である。
撮像指示部１６０１は、服薬者が服薬する様子の撮像を指示する機能部である。
撮像指示部１６０１は、検知部３０２により格納部から薬が取り出されたことが検知された場合、撮像を指示する機能部である。
検知部３０２は、服薬者ごとに分けて薬を格納された格納部から複数の服薬者のうち、どの服薬者の薬が取り出されたかを検知する機能部である。
警告出力部３０４は、警告の出力が複数回続けて行われる場合、初回の警告とは異なる警告を出力する機能部である。
検知部３０２は、格納部から薬が取り出されたことを示す信号を受信することにより、格納部から薬が取り出されたことを検知する機能部である。
以上で、図１５の説明を終了する。
【０１１４】  図４の薬配置カレンダー１０１の薬ポケットから薬ケースが取り出されたことの検知方法については、第２の実施形態においても同様である。なお、薬ケース４０２を上方向に引き抜くことにより、薬配置カレンダー１０１から発生する薬ケースの取り出し信号であるパルス信号４２３は、Ｗｉ−Ｆｉ、Ｂｌｕｅｔｏｏｔｈ（登録商標）、超音波などの通信機能、またはＬＡＮやＷＡＮなどのネットワーク１０４を介して、情報処理装置１０７の取出信号受信部２１３が受信する。
以上で、図４の説明を終了する。
【０１１５】  図５の服薬管理装置１０２に備わるＬＥＤ５０１、リセットボタン５０２、通信中ランプ５０３、タイマー２１２およびスピーカー２２０はすべて、第２の実施形態に係る情報処理装置１０７に備わる。なお、ＬＥＤ５０１、リセットボタン５０２、通信中ランプ５０３は、情報処理装置１０７の出力装置２１５に表示される服薬状況画面１３０１の一部として表示される。
以上で、図５の説明を終了する。
【０１１６】  図６の服薬管理全体処理のフローチャートは、第２の実施形態においても同様である。なお、図６の服薬管理装置１０２のＣＰＵ２０１が行う処理は、第２の実施形態における情報処理装置１０７のＣＰＵ２０１が行う。
以上で、図６の説明を終了する。
【０１１７】  図７の初期設定処理のフローチャートは、第２の実施形態においても同様である。なお、図７の服薬管理装置１０２のＣＰＵ２０１が行う処理は、第２の実施形態における情報処理装置１０７のＣＰＵ２０１が行う。また、ステップＳ７０２において表示される初期設定画面（図８）は、情報処理装置１０７の出力装置２１５に表示される。
以上で、図７、図８の説明を終了する。
【０１１８】  図９の薬配置処理のフローチャートは、第２の実施形態においても同様である。なお、図９の服薬管理装置１０２のＣＰＵ２０１が行う処理は、第２の実施形態における情報処理装置１０７のＣＰＵ２０１が行う。また、前述のように、ＬＥＤ５０１、リセットボタン５０２は、情報処理装置１０７の出力装置２１５に表示される服薬状況画面１３０１の一部として表示される。
以上で、図９の説明を終了する。
【０１１９】  図１６は、第２の実施形態に係る服薬管理システム１００における服薬管理処理の一例を示すフローチャートであり、第１の実施形態の図１０における服薬管理装置１０２を情報処理装置１０７に置き換えたものである。
図１６について説明する。ただし、図１０と同じ処理については説明を省略する。
【０１２０】  ステップＳ１６０１において、情報処理装置１０７は、服薬状況画面１３０１に表示されている、ステップＳ１００５にて特定した薬ポケット４０１に対応する服薬アイコン１３０５が「○（薬取出済）」か「●（薬未取出）」かを判定する。「○」の場合は、この薬ポケット４０１から薬ケース４０２が既に取り出されたことがあると捉え、その後の処理（例えば、撮像処理、メール送信処理等）を行わず、図１６の服薬管理処理を終了する。「●」の場合は、ステップＳ１６０２に進む。すなわち、ステップＳ１６０１は、薬が取り出された格納部３０１に対応する表示部が、薬が取り出されたことを示している場合、薬が取り出されたことに従って行う処理を行わないことの一例を示すステップである。
【０１２１】  なお、本実施形態においては、服薬状況画面１３０１に表示されている服薬アイコン１３０５の種類で判定するとしたが、これに限定するものではなく、情報処理装置１０７のＲＡＭ２０２または外部メモリ２１４に記憶されている服薬状況から、ステップＳ１００５にて特定した薬ポケット４０１が「薬取出済」か「薬未取出」かを判定するとしてもよい。
【０１２２】  ステップＳ１６０２において、情報処理装置１０７は、ステップＳ１００６にて特定した薬ポケット４０１に対応する服薬アイコン１３０５を「●」から「○」に変更し、服薬状況画面１３０１を表示する。なお、服薬状況画面１３０１を表示する処理については、図１７の説明にて後述する。すなわち、服薬状況画面１３０１に表示されている服薬アイコン１３０５は、薬が取り出されたと検知された格納部３０１と他の格納部３０１とを識別して表示するための表示部の一例である。
【０１２３】  ステップＳ１６０３において、情報処理装置１０７は、服薬者が服薬する様子の撮像を指示する。すなわち、ステップＳ１６０３は、服薬者が服薬する様子の撮像を指示する処理の一例を示すステップである。すなわち、ステップＳ１６０３は、格納部３０１から薬が取り出されたことが検知された場合、撮像を指示する処理の一例を示すステップである。
【０１２４】  具体的には、服薬者が服薬する様子や室内の様子は、情報処理装置１０７が服薬者の傍にあるケースにおいては、情報処理装置１０７が備えるカメラ２１９を用いて撮像する。一方、情報処理装置１０７が服薬者の家族や介護者の傍にある（つまり、服薬者の傍にない）ケースにおいては、情報処理装置１０７が服薬者の傍にあるカメラ（例えば、ネットワークカメラ、情報処理装置１０７とは異なる情報処理装置が備えるカメラ等）に撮像を指示し、撮像された画像または動画を情報処理装置１０７が受信する。
ステップＳ１６０４において、情報処理装置１０７は、ステップＳ１６０３の撮像指示により撮像された服薬者が服薬する様子の画像を取得する。
【０１２５】  ステップＳ１６０５において、情報処理装置１０７は、室内の様子の撮像を指示する。すなわち、ステップＳ１６０５は、記憶された時刻、または当該時刻よりも所定時間前もしくは所定時間後の時刻を過ぎても、格納部３０１から薬が取り出されたことが検知されなかった場合、撮像する処理の一例を示すステップである。
ステップＳ１６０６において、情報処理装置１０７は、ステップＳ１６０５の撮像指示により撮像された室内画像を取得する。
以上で、図１６の説明を終了する。
【０１２６】  図１７は、第２の実施形態に係る服薬管理システム１００における服薬状況画面表示処理の一例を示すフローチャートであり、図１６のステップＳ１６０２にて行う、服薬状況画面１３０１の表示処理の詳細を記したフローチャートである。図１７について説明する。なお、薬ポケット４０１からの薬の取り出しの有無の記録（＝服薬状況）は、情報処理装置１０７のＲＡＭ２０２または外部メモリ２１４で管理しておくものとする。
【０１２７】  ステップＳ１７０１において、情報処理装置１０７は、ＲＡＭ２０２または外部メモリ２１４に記憶されている服薬状況を取得する。なお、本実施形態においては、情報処理装置１０７のＲＡＭ２０２または外部メモリ２１４から服薬状況を取得するとしたが、これに限定するものではなく、服薬管理サーバ１０６に問い合わせて、服薬管理サーバ１０６の外部メモリ２１４に記憶されている服薬結果テーブル１１３０から服薬状況を取得するとしてもよい。
ステップＳ１７０２において、情報処理装置１０７は、ステップＳ１７０１にて取得した服薬状況を服薬状況画面１３０１（図１３）として表示する。
【０１２８】  ステップＳ１７０３において、情報処理装置１０７は、薬配置カレンダー１０１における最終服薬が終了したか否かを判定し、終了していた場合はステップＳ１７０４に進み、終了していない場合はステップＳ１７０５に進む。具体的には、ステップＳ１７０１にて取得した服薬状況のうち、薬配置カレンダー１０１の最終の薬ポケット４０１（図１の薬配置カレンダー１０１の場合、「日曜日」の「就寝」）に対応する服薬状況の値が存在するか否かで判定する。
【０１２９】  ステップＳ１７０４において、情報処理装置１０７は、家族や介護者を呼び出す呼出ボタン１３０３、服薬状況をリセットするリセットボタン１３０４を服薬状況画面１３０１に表示する。これにより、薬配置カレンダー１０１における最終服薬が終了した場合、かつ服薬者自身が薬配置カレンダー１０１に薬を配置できない場合、呼出ボタン１３０３により家族や介護者を呼び出して新たな薬の配置を依頼することができるようになる。また、薬配置カレンダー１０１における最終服薬が終了した場合、かつ薬配置カレンダー１０１に新たな薬を配置した場合、リセットボタン１３０４によりＲＡＭ２０２または外部メモリ２１４に記憶されている服薬状況をクリアすることができるようになる。
【０１３０】  ステップＳ１７０５において、情報処理装置１０７は、ユーザの操作を受け付け、受け付けた操作を判定する。スワイプ操作の場合はステップＳ１７０６に進み、リセットボタン押下の場合はステップＳ１７０７に進み、呼出ボタン押下の場合はステップＳ１７０８に進む。なお、本実施形態においては、スワイプ操作としたが、この操作に限定するものではなく、服薬者名１３０２をセレクトボックスにして介護者が管理する服薬者の中から表示する服薬者名を選択するといった操作や、操作とは無関係に複数の服薬者の服薬状況をスライドショーのように順に表示するなどの方法であってもよい。
【０１３１】  ステップＳ１７０６において、情報処理装置１０７は、服薬状況画面１３０１に表示する服薬者を変更する。これは、介護者が複数の服薬者の服薬状況を管理することを想定している。
【０１３２】  この場合、情報処理装置１０７の外部メモリ２１４に記憶されている服薬者テーブル１１１０、服薬時刻テーブル１１２０、服薬結果テーブル１１３０の各テーブルには、複数の服薬者のレコードが記憶されている。
つまり、第２の実施形態では、ステップＳ１００３において、取出信号受信部２１３は、複数の服薬者のうちどの服薬者の薬ポケット４０１から薬ケース４０２が取り出されたことか検知する。すなわち、ステップＳ１００３は、服薬者ごとに分けて薬を格納された格納部から複数の服薬者のうち、どの服薬者の薬が取り出されたかを検知する処理の一例を示すステップである。
【０１３３】  服薬者を変更する具体的な方法は、服薬者テーブル１１１０から、現在の服薬状況画面１３０１に表示している服薬者の次の服薬者レコードを取得し、ステップＳ１７０１に戻り、取得した服薬者レコードの服薬者ＩＤを用いて服薬結果テーブル１１３０から服薬結果レコードを取得し、ステップＳ１７０２にて取得した服薬結果レコードを用いて、服薬状況を服薬状況画面１３０１（図１３）として表示する。
【０１３４】  なお、本実施形態における服薬状況画面１３０１には、介護者が管理する複数の服薬者のうち選択された服薬者の服薬状況を表示するとしたが、これに限定するものではなく、介護者が管理する複数の服薬者のうち、すべてまたは複数の服薬者の服薬状況をまとめて表示するとしてもよい。
これにより、介護者が複数人の服薬者の服薬状況を管理することができる。
【０１３５】  ステップＳ１７０７において、情報処理装置１０７は、ＲＡＭ２０２または外部メモリ２１４に記憶されている服薬状況をクリアし、ステップＳ１７０１に戻る。
ステップＳ１７０８において、情報処理装置１０７は、家族または介護者を呼び出す。具体的には、情報処理装置１０７の外部メモリ２１４に記憶されている服薬者テーブル１１１０の通知先メールアドレスに向けて呼出メールを送信する、家族または介護者の連絡先電話番号を記憶しておき、その電話番号へ通話発信するなどの処理を行う。
以上で、図１７の説明を終了する。
以上により、服薬者に好適な服薬を促すことができる。
【０１３６】  これにより、家族や介護者は、服薬者が服薬している様子を確認することができるようになり、服薬している様子を実際に見ることができないことによる正確な服薬状況を知ることができないという問題を解決することができる。
【０１３７】  以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１３８】  この場合、記録媒体から読み出されたプログラム自体が本発明の新規な機能を実現することになり、そのプログラムを記録した記録媒体は本発明を構成することになる。
【０１３９】  プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１４０】  また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４１】  さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４２】  また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１４３】  上記プログラムの形態は、オブジェクトコード、インタプリタにより実行されるプログラムコード、ＯＳ（オペレーティングシステム）に供給されるスクリプトデータ等の形態から成ってもよい。
【符号の説明】
【０１４４】１００  服薬管理システム
１０１  薬配置カレンダー
１０２  服薬管理装置
１０３  携帯電話
１０４  ネットワーク
１０５  電話交換ユニット
１０６  服薬管理サーバ
１０７  情報処理装置
【図１】
2017045437.tif 000003
【図２】
2017045437.tif 000004
【図３】
2017045437.tif 000005
【図４】
2017045437.tif 000006
【図５】
2017045437.tif 000007
【図６】
2017045437.tif 000008
【図７】
2017045437.tif 000009
【図８】
2017045437.tif 000010
【図９】
2017045437.tif 000011
【図１０】
2017045437.tif 000012
【図１１】
2017045437.tif 000013
【図１２】
2017045437.tif 000014
【図１３】
2017045437.tif 000015
【図１４】
2017045437.tif 000016
【図１５】
2017045437.tif 000017
【図１６】
2017045437.tif 000018
【図１７】
2017045437.tif 000019